(57)【要約】      （修正有）【課題】容易に移動させることができる、スクワット運動のための運動器具を提供する。【解決手段】シャフト１６を有するバーベル１と、バーベルのシャフトが載置される凹状の受け部をそれぞれ有しバーベルを支持するための１対のバーベル受け具２と、１対のバーベル受け具が上端部にそれぞれ取り外し自在に装着される１対の第１の縦方向支持部材３と、１対の第１の縦方向支持部材の下端部にそれぞれ固着され、水平方向にＬ字状に湾曲した１対の第１の横方向支持部材４と、１対の第１の縦方向支持部材の中間部にそれぞれ固着され、１対の第１の横方向支持部材と略平行にＬ字状に湾曲した１対の第２の横方向支持部材７と、１対の第１の横方向支持部材の一端及び１対の第２の横方向支持部材の一端がそれぞれ固着された１対の第２の縦方向支持部材８と、１対の第２の縦方向支持部材を回動可能に互いに連結する複数の蝶番９と、１対の第１の横方向支持部材の少なくとも一方に取り付けられた少なくとも１つの車輪６とを備えている。【選択図】図１
0003219388.tif 000002
【実用新案登録請求の範囲】
【請求項１】
シャフトを有するバーベルと、該バーベルの前記シャフトが載置される凹状の受け部をそれぞれ有し前記バーベルを支持するための１対のバーベル受け具と、該１対のバーベル受け具が上端部にそれぞれ取り外し自在に装着される１対の第１の縦方向支持部材と、該１対の第１の縦方向支持部材の下端部にそれぞれ固着され、水平方向にＬ字状に湾曲した１対の第１の横方向支持部材と、前記１対の第１の縦方向支持部材の中間部にそれぞれ固着され、前記１対の第１の横方向支持部材と略平行にＬ字状に湾曲した１対の第２の横方向支持部材と、前記１対の第１の横方向支持部材の一端及び前記１対の第２の横方向支持部材の一端がそれぞれ固着された１対の第２の縦方向支持部材と、前記１対の第２の縦方向支持部材を回動可能に互いに連結する複数の蝶番と、前記１対の第１の横方向支持部材の少なくとも一方に取り付けられた少なくとも１つの車輪とを備えており、
前記１対の第１の縦方向支持部材、前記１対の第１の横方向支持部材、前記１対の第２の横方向支持部材及び前記１対の第２の縦方向支持部材を、前記複数の蝶番を軸にして互いに回動させることにより非使用時は折り畳みできるように構成されていることを特徴とする運動器具。
【請求項２】
前記１対の第２の横方向支持部材に取り付けられており、使用時に、前記１対の第２の縦方向支持部材の前記複数の蝶番を軸とする回動を抑止するロック部材をさらに備えていることを特徴とする請求項１に記載の運動器具。
【請求項３】
前記ロック部材が、一端部が前記１対の第２の横方向支持部材の一方に回動可能に支承され、他端部に前記１対の第２の横方向支持部材の他方に設けられた穴に挿入可能な挿入ピンを有するＬ型アングルからなることを特徴とする請求項２に記載の運動器具。
【請求項４】
前記１対の第１の横方向支持部材の各々に取り付けられ、該１対の第１の横方向支持部材を支持する少なくとも１つの支持脚をさらに備えていることを特徴とする請求項１から３のいずれか１項に記載の運動器具。
【請求項５】
前記バーベル受け具が、前記１対の第１の縦方向支持部材に取り外し可能に取り付けられていることを特徴とする請求項１から４のいずれか１項に記載の運動器具。
【請求項６】
前記１対の第１の横方向支持部材の他端に伸縮可能に連結された伸縮部をさらに備えており、該伸縮部に支持脚が取り付けられていることを特徴とする請求項１から５のいずれか１項に記載の運動器具。
【請求項７】
前記バーベルが、セーフティスクワットバーであることを特徴とする請求項１から６のいずれか１項に記載の運動器具。
【考案の詳細な説明】
【技術分野】
【０００１】
本考案は、身体の筋肉や関節を鍛えることが可能な運動器具に係り、特に、バーベルを用いたスクワット運動のための運動器具に関する。
【背景技術】
【０００２】
従来、ベンチプレス等でバーベルを用いた運動を行う場合には、使用者が仰向け状態で寝るベンチの両側にバーベル受け具を取り付けた支持体を設け、このバーベル受け具の凹状の受け部にバーベルのシャフトを水平に載置できるようにしたバーベルラックを用いていた。このようなバーベルラックがあることにより、運動開始位置付近にバーベルを載置しておくことができ、効率的かつ安全に運動ができるようになる。
【０００３】
また、バーベル受け具からバーベルが落下することはとても危険であり、それを防ぐために、バーベル受け具にラッチを設けることなどの提案がなされている（特許文献１）。
【先行技術文献】
【特許文献】
【０００４】
【特許文献１】登録実用新案第３０００７１５号公報
【考案の概要】
【考案が解決しようとする課題】
【０００５】
一方、スクワット運動でバーベルを用いる場合には、バーベル受け具の位置を使用者の胸の高さに合わせる必要がある。しかし、このような高い位置のバーベル受け具にバーベルを載置すると、バーベルラックの安定性が悪化してバーベル及びバーベルラックが転倒してしまう恐れがある。バーベル及びバーベルラックの安定性を高めるためには、これらの重心を下げる必要があり、必然的にバーベルラックの寸法及び重量が大きくなっていた。その結果、運動器具の移動が必要な訪問リハビリテーションを行う場合などでは、この種のスクワット運動用の運動器具を使用することが困難であった。
【０００６】
従って、本考案は上述した問題点を解消するものであり、本考案の目的は、容易に移動させることができる、バーベルを用いたスクワット運動のための運動器具を提供することにある。
【課題を解決するための手段】
【０００７】
本考案によれば、シャフトを有するバーベルと、バーベルのシャフトが載置される凹状の受け部をそれぞれ有しバーベルを支持するための１対のバーベル受け具と、１対のバーベル受け具が上端部にそれぞれ取り外し自在に装着される１対の第１の縦方向支持部材と、１対の第１の縦方向支持部材の下端部にそれぞれ固着され、水平方向にＬ字状に湾曲した１対の第１の横方向支持部材と、１対の第１の縦方向支持部材の中間部にそれぞれ固着され、１対の第１の横方向支持部材と略平行にＬ字状に湾曲した１対の第２の横方向支持部材と、１対の第１の横方向支持部材の一端及び１対の第２の横方向支持部材の一端がそれぞれ固着された１対の第２の縦方向支持部材と、１対の第２の縦方向支持部材を回動可能に互いに連結する複数の蝶番と、１対の第１の横方向支持部材の少なくとも一方に取り付けられた少なくとも１つの車輪とを備えており、１対の第１の縦方向支持部材、１対の第１の横方向支持部材、１対の第２の横方向支持部材及び１対の第２の縦方向支持部材を、複数の蝶番を軸にして互いに回動させることにより非使用時は折り畳みできるように構成されている運動器具が提供される。
【０００８】
非使用時は、１対のバーベル受け具を１対の第１の縦方向支持部材からそれぞれ取り外し、１対の第１の横方向支持部材及び１対の第２の横方向支持部材を複数の蝶番を軸にして互いに回動させて折り畳むことで専有空間を小さくし、少なくとも１つの車輪を転がすことにより、容易に移動させることができる。
【０００９】
１対の第２の横方向支持部材には、使用時に、１対の第２の縦方向支持部材の複数の蝶番を軸とする回動を抑止するロック部材が取り付けられていることが好ましい。このロック部材は、一端部が１対の第２の横方向支持部材の一方に回動可能に支承され、他端部に１対の第２の横方向支持部材の他方に設けられた穴に挿入可能な挿入ピンを有するＬ型アングルであることがさらに好ましい。
【００１０】
１対の第１の横方向支持部材の各々には、１対の第１の横方向支持部材を支持する少なくとも１つの支持脚が取り付けられていることが好ましい。
【００１１】
バーベル受け具は、１対の第１の縦方向支持部材に取り外し可能に取り付けられていることが好ましい。
【００１２】
１対の第１の横方向支持部材の他端には、伸縮可能に連結された伸縮部をさらに備えており、伸縮部に支持脚が取り付けられていることが好ましい。
【００１３】
バーベルは、セーフティスクワットバーであることが好ましい。
【考案の効果】
【００１４】
本考案によれば、バーベルを使用するスクワット運動にあたり、凹状の受け部をそれぞれ有する１対のバーベル受け具により、スクワット運動開始位置にバーベルを水平に載置することができる。さらに、運動器具の非使用時は、１対のバーベル受け具を１対の第１の縦方向支持部材からそれぞれ取り外し、１対の第１の横方向支持部材及び１対の第２の横方向支持部材を複数の蝶番を軸にして互いに回動させて折り畳むことで専有空間を小さくし、少なくとも１つの車輪を転がすことにより、容易に移動させることができる。
【図面の簡単な説明】
【００１５】
【図１】本考案の一実施形態の運動器具における全体構成を示す斜視図である。
【図２】図１の運動器具におけるバーベルラック部分の構成を示す斜視図である。
【図３】図１の運動器具におけるバーベルラックからバーベル受け具を取り外した状態の構成を示す斜視図である。
【図４】図１の運動器具におけるバーベルラックの第１の横方向支持部材の伸縮部を縮めた状態の構成を示す斜視図である。
【図５】図１の運動器具におけるバーベルラックを折り畳んだ状態の構成を示す斜視図である。
【図６】図１の運動器具におけるセーフティスクワットバーの構成を示す斜視図である。
【考案を実施するための形態】
【００１６】
以下、本考案に係る運動器具の実施形態を、図を参照して説明する。
【００１７】
図１は本考案の一実施形態の運動器具における全体構成を示しており、図２は図１の運動器具からバーベルを外したバーベルラック部分の構成を示しており、図３は図１の運動器具におけるバーベルラックからバーベル受け具を取り外した状態の構成を示している。
【００１８】
これらの図に示すように、運動器具２０はシャフト１６を有するバーベル１とバーベルラックとから構成されている。バーベルラックは、バーベル１のシャフト１６が載置される凹状の受け部をそれぞれ有しバーベル１を支持するための１対のバーベル受け具２と、１対のバーベル受け具２が上端部にそれぞれ取り外し自在に装着される１対の第１の縦方向支持部材３と、１対の第１の縦方向支持部材３の下端部にそれぞれ固着され、水平方向にＬ字状に湾曲した１対の第１の横方向支持部材４と、１対の第１の縦方向支持部材３の中間部にそれぞれ固着され、１対の第１の横方向支持部材４と略平行にＬ字状に湾曲した１対の第２の横方向支持部材７と、１対の第１の横方向支持部材４の一端及び１対の第２の横方向支持部材７の一端がそれぞれ固着された１対の第２の縦方向支持部材８と、１対の第２の縦方向支持部材８を回動可能に互いに連結する複数の蝶番９と、１対の第１の横方向支持部材４の一方に取り付けられた２つの車輪６とを備えている。
【００１９】
バーベル受け具２は、左右で対をなし、バーベル１のシャフト１６が載置できるように凹状をなしている。このバーベル受け具２にバーベル１のシャフト１６を載置することで、バーベル１は、スクワット運動開始位置で、水平に安定する。バーベル受け具２は、左右で対をなす第１の縦方向支持部材３の上端部にそれぞれ取り外し自在に装着されている。本実施形態では第１の縦方向支持部材３は、金属製の正方形の角パイプであり、この角パイプ内に、バーベル受け具２が取り外し自在に挿入されている。バーベル受け具２の外面の軸断面形状は第１の縦方向支持部材３の内面の軸断面形状にほぼ等しく、バーベル受け具２の外面の寸法は第１の縦方向支持部材３の内面の寸法よりわずかに小さく設定されている。これにより、バーベル受け具２は第１の縦方向支持部材３内を回転することなく摺動することができる。また、第１の縦方向支持部材３には、留め具１１がついており、バーベル受け具２の高さを固定し、スクワット運動を開始するのに適した高さにバーベル１を載置できるように構成されている。
【００２０】
１対の第１の縦方向支持部材３の下端部は、それぞれ、水平方向にＬ字状に湾曲した１対の第１の横方向支持部材４に対して垂直に固着されている。第１の縦方向支持部材３はバーベル受け具２を通じてバーベル１を支持するため、第１の横方向支持部材４とは、できるだけ強固に固着されている必要がある。そこで、本実施形態では、第１の横方向支持部材４は金属製であり、第１の縦方向支持部材３と第１の横方向支持部材４とが溶接によって固着されており、さらに、この接合部に板状の補強部材３ａが溶接されている。
【００２１】
１対の第２の横方向支持部材７は金属製であり、水平方向にＬ字状に湾曲しており、第１の横方向下部支持部材４と略平行になるように、１対の第１の縦方向支持部材３の中間部に固着されている。第１の横方向支持部材４の一端と第２の横方向支持部材７の一端は、それぞれ金属製の第２の縦方向支持部材８に固着されている。この構造により、第１の縦方向支持部材３をより強力に支えることができる。
【００２２】
バーベル受け具２、第１の縦方向支持部材３、第１の横方向支持部材４、第２の横方向支持部材７及び第２の縦方向支持部材８はそれぞれ左右対称に対をなし、第２の縦方向支持部材８に取り付けられた複数の蝶番９によって連結されている。この複数の蝶番９を軸に回動させることにより、バーベルラックは、図５に示すように、第１の横方向支持部材４の自由端方向に折り畳むことができる。
【００２３】
本実施形態では、第１の横方向支持部材４の一方に、車輪６が２つ取り付けられており、この車輪６を利用して、持ち上げることなくバーベルラックを移動させることができる。車輪６は、１対の第１の横方向下部支持部材４の両方につけることもでき、車輪６の数量は２つに限定されない。
【００２４】
ロック部材１０は、その一端部が１対の第２の横方向支持部材７の一方に回動可能に支承されたＬ型アングルである。ロック部材１０の他端部は、１対の第２の横方向支持部材７の他方に設けられた穴に挿入ピン１９（図３〜図５参照）を挿入することができるようになっており、図１のように、運動器具２０を使用する状態で第２の横方向支持部材７を固定することができる。これによって、蝶番９の回動が阻止され、運動器具２０を安定した状態で使用することができる。また、図５のように、バーベルラックを折り畳んだ状態で、第２の横方向支持部材７に設けられたもう１つの穴に挿入ピン１９を挿入することで折りたたみ状態を固定して維持することが可能である。これにより、バーベルラックを移動させる場合に、安定した折りたたみ状態を維持できるので、移動させやすくなる。
【００２５】
本実施形態では、１対の第１の横方向支持部材４の各々には、第１の横方向支持部材４を支持するために、支持脚１２が２つずつ設けられている。しかしながら、この支持脚１２の数もこれに限定されない。
【００２６】
図３に示すように、バーベル受け具２は、第１の縦方向支持部材３から取り外すことができる。これにより、バーベルラックの専有空間が減り、移動させることがより容易になる。
【００２７】
１対の第１の横方向支持部材４の自由端には、それぞれ伸縮可能に連結された伸縮部５を備えており、伸縮部５にそれぞれ支持脚１２が取り付けられている。伸縮部５は、図４のように、縮めることができ、伸びた状態と縮んだ状態でそれぞれ固定することができる。
【００２８】
バーベル１は、図６に示すような、セーフティスクワットバーであることが好ましい。このセーフティスクワットバーは、シャフト１６に対して、左右対称にクランクアーム１８の一端部が連結され、クランクアーム１８の他端部に負荷用アーム１７が接続されている。また、シャフト１６には、左右対称に２本のグリップ１５が固着されており、グリップ１５のシャフト近傍にグリップ部クッション材１４が巻かれており、シャフト１６のグリップ１５に挟まれた部分に、シャフト部クッション材１３が巻かれている。両側の負荷用アーム１７に重りを取り付けることができる。使用者は、グリップ部クッション材１４の間に首を入れ、セーフティスクワットバーを担ぎ、グリップ１５を握り、スクワット運動をする。こうすることで、シャフト１６を握らなくても運動ができるため、肩甲骨が固く、通常のバーベルを持ち上げることができない人でも使用することができる。また、セーフティスクワットバーが、首を支点にぶら下がることで手を放してもバランスが取れるため、体幹が弱い人でも使用することができる。
【００２９】
以上詳細に説明したように、本実施形態によれば、非使用時に、バーベル受け具２からバーベル１を取り外し、さらに、第１の縦方向支持部材３からバーベル受け具２を取り外し、第１の横方向支持部材４及び第２の横方向支持部材７を複数の蝶番９を軸にして互いに回動させることにより全体を小さく折り畳むことができ、しかも、ロック部材１０によってこの状態を維持することができる。さらに、車輪６を転がすことにより、容易に移動させることができる。このように移動が非常に容易となるため、例えば、訪問リハビリテーションを行って、高齢者等の筋力維持、回復するためにバーベルを用いたスクワット運動を容易に行うことができる。
【００３０】
また、ロック部材１０によって、使用時の状態を維持することができ、バーベルを用いたスクワット運動を安全に行うことができる。
【００３１】
さらに、そのロック部材１０がＬ型アングルと挿入ピン１９からなり、挿入ピンを第２の横方向支持部材４の他方に設けられた穴に挿入して状態を固定する構造であるために、容易に、使用状態と折り畳み状態を転換することができる。
【００３２】
第１の横方向支持部材４に支持脚１２が備えられていることによって、バーベルラックを設置する床への負荷を軽減することができる。
【００３３】
伸縮部材５により、使用時の状態では、バーベルラックをより安定させることができる。
【符号の説明】
【００３４】
１  バーベル
２  バーベル受け具
３  第１の縦方向支持部材
３ａ  補強部材
４  第１の横方向支持部材
５  伸縮部
６  車輪
７  第２の横方向支持部材
８  第２の縦方向支持部材
９  蝶番
１０  ロック部材
１１  留め具
１２  支持脚
１３  シャフト部クッション材
１４  グリップ部クッション材
１５  グリップ
１６  シャフト
１７  負荷用アーム
１８  クランクアーム
１９  挿入ピン
２０  運動器具
【図１】
0003219388.tif 000003
【図２】
0003219388.tif 000004
【図３】
0003219388.tif 000005
【図４】
0003219388.tif 000006
【図５】
0003219388.tif 000007
【図６】
0003219388.tif 000008